(57)【要約】    【課題】本発明の課題は、紙幣の挿入が容易に行なえ、かつ紙幣の返却を確実に行なえるようにした紙幣識別機を提供することである。    【解決手段】紙幣挿入口を備え、該紙幣挿入口を覆うように設けられたフラッパを備える紙幣識別機において、フラッパを開閉させるためのフラッパ開閉スイッチと、紙幣挿入口付近に紙幣を検知するための紙幣検知センサと、フラッパを開閉させるためのフラッパ駆動手段と、前記フラッパ開閉スイッチが操作されると、フラッパ駆動手段を動作させてフラッパを開方肉に移動させ、紙幣検知センサにて紙幣を検知すると、前記フラッパを閉方向に移動させる制御手段とを備えたことを特徴とする。【選択図】      図１
2005092294.tif 000002
【特許請求の範囲】
【請求項１】
紙幣挿入口を備え、該紙幣挿入口を覆うように設けられたフラッパを備える紙幣識別機において、フラッパを開閉させるためのフラッパ開閉スイッチと、紙幣挿入口付近に紙幣を検知するための紙幣検知センサと、フラッパを開閉させるためのフラッパ駆動手段と、前記フラッパ開閉スイッチが操作されると、フラッパ駆動手段を動作させてフラッパを開方肉に移動させ、紙幣検知センサにて紙幣を検知すると、前記フラッパを閉方向に移動させる制御手段とを傭えたことを特徴とする紙幣識別機。
【請求項２】
請求項1に記載の紙幣識別機において、制御手段は、フラッパを閉方向に移動を、紙幣検知センサが一且オンして、オフしたことを検知した時に開始させることを特徴とする紙幣識別機。
【発明の詳細な説明】
【技術分野】
【０００１】
本発明は、自動販売機、自動券売機あるいは両替機などに搭載される紙幣識別機に関し、特に、その紙幣挿入口にフラッパを有する紙幣識別機に関する。
【背景技術】
【０００２】
例えば、最近の自動販売機では、高額商品あるいはまとめ買いに対応するため、紙幣にて商品の購入を可能として、自動販売機に紙幣識別機を搭載した構成が知られている。
【０００３】
このように、紙幣識別機が搭載される自動販売機は、屋外に設置されることも多く、自動販売機に搭載された紙幣識別機は、防水あるいは防塵のために紙幣識別機の紙幣挿入口部分にフラッパが設けられている。
【０００４】
このフラッパは、例えば、特許文献１に示すように、利用者の手によりフラッパを回動させ、紙幣を挿入し、挿入後は復帰ばねなどにより自動的に紙幣挿入口を閉鎖するようにしている（特許文献１参照）。
【特許文献１】特開２０００−１４９１２２号公報
【発明の開示】
【発明が解決しようとする課題】
【０００５】
しかしながら、上記の紙幣識別機の紙幣挿入口では、やはり利用者は、フラッパを手で操作しなければならず、紙幣を挿入する際に挿入し難いという間題があり、また、紙幣返却時にも紙幣がフラッパにぶつかる可能性があり、うまく排出できない可能性があった。
【０００６】
本発明は、上記に鑑みてなされたものであって、紙幣の挿入が容易に行なえ、かつ紙幣の返却を確実に行なえるようにした紙幣識別機を提供することを目的とする。
【課題を解決するための手段】
【０００７】
上述した課題を解決するために、紙幣挿入口を備え、該紙幣挿入口を覆うように設けられたフラッパを備える紙幣識別機において、フラッパを開閉させるためのフラッパ開閉スイッチと、紙幣挿入口付近に紙幣を検知するための紙幣検知センサと、フラッパを開閉させるためのフラッパ駆動手段と、前記フラッパ開閉スイッチが操作されると、フラッパ駆動手段を動作させてフラッパを開方肉に移動させ、紙幣検知センサにて紙幣を検知すると、前記フラッパを閉方向に移動させる制御手段とを傭えたことを特徴とする。
【０００８】
また、制御手段は、フラッパを閉方向に移動を、紙幣検知センサが一且オンして、オフしたことを検知した時に開始するように制御するものである。
【発明の効果】
【０００９】
以上のように本発明によれば、紙幣挿入口を備え、該紙幣挿入口を覆うように設けられたフラッパを備える紙幣識別機において、フラッパを開閉させるためのフラッパ開閉スイッチと、紙幣挿入口付近に紙幣を検知するための紙幣検知センサと、フラッパを開閉させるためのフラッパ駆動手段と、前記フラッパ開閉スイッチが操作されると、フラッパ駆動手段を動作させてフラッパを開方向に移動させ、紙幣検知センサにて紙幣を検知すると、前記フラッパを閉方向に移動させる制御手段とを傭えたことにより、スイッチ操作により自動的にフラッパが開き、閉動作も紙幣の挿入を検知することで自動的にフラッパが閉じるため、フラッパを持ち上げ、フラッパを手で持った状態にて紙幣を挿入するという煩わしいさが無くなり、フラッパ付の紙幣挿入口への紙幣挿入が非常に容易となり、かつ、フラッパを閉じる操作も不要となるため、利用者にとって使いやすさが格段に向上するという効果が得られる。
【発明を実施するための最良の形態】
【００１０】
以下に、本発明にかかる紙幣識別機を図面に基づいて詳細に説明する。
【００１１】
図１は、紙幣識別機の概賂側面図を示し、１は紙幣識別機の本体ケースであり、本体ケース1には、紙幣挿入口２、紙幣搬送路３、紙幣Ａの取込みおよび排出用の搬送ローラ４、紙幣Ａを取り込んだ際に一時保留する一時保留部５、紙幣挿入口２を覆うように設けられ、図１では上部に支点６ａを有するフラッパ６、該フラッパ６を開動作させるための前面から操作可能なフラッパスイッチ７、フラッパ６を開閉させるためのソレノイド８、該ソレノイド８の動作に連動して実際にフラッパ８の回動（開閉）動作を行なわせる略Ｌ字形のフラッパ開閉具９、紙幣Ａの通過を検知するために紙幣挿入口近傍に設けられる紙幣検知センサ１０、フラッパスイッチ（ＳＷ）７、ソレノイド８、紙幣検知センサ１０を制御するとともに、図示しない記憶部およびタイマを有する制御部１１などが装傭されている。
【００１２】
ここで、フラッパ６は、防水あるいは防塵のため、待機時には、紙幣挿入口２を覆うように設けられており、紙幣の挿入あるいは返却時には、支点６ａを中心として上方へ回動され、紙幣の挿入あるいは返却を可能とするものである。
【００１３】
なお、図１の紙幣識別機の概賂側面図は、フラッパ６を回動（開）させた状態を示すものである。
【００１４】
このような構成において、制御部１１の処理を図２、図３のフローチャートを参照しながら説明する。
【００１５】
図２のフローチャートは、紙幣挿入時の処理を示すものである。
【００１６】
図２において、紙幣識別機に紙幣Ａを挿入する場合には、フラッパスイッチ７がオンされると（Ｓ１）、タイマをクリアして（Ｓ２）、次のステップＳ３に進む。
【００１７】
次に、ステップＳ３では、フラッパスイッチ７が操作されることにより、ソレノイド８が駆動し、フラッパ開閉具９が前方（図１では左側）へ突き出て、フラッパ開閉具９がフラッパ６に当たり、紙幣挿入口２に紙幣Ａが挿入できる位置まで支点６ａを中心としてフラッパ6を上方に押し上げて回動させ、次のステップＳ４に進む。
【００１８】
次に、ステップＳ４では、紙幣の挿入を検知する紙幣検知センサ１０がオンか否かを判断し、オンしていなければ（Ｓ４，Ｎｏ）、ステップＳ５にて、１０秒経過したか否かを判断する（Ｓ５）。ここで、紙幣検知センサ１０がオンせずに１０秒経過すると（Ｓ５，Ｙｅｓ）、１０秒経過しても紙幣Ａが紙幣挿入口２に挿入されていない状態なり、ソレノイド８をオフして（Ｓ６）、ソレノイド８がオフすることにより、フラッパ開閉具９が後方（図１では右側）に戻り、フラッパ６が支点６ａを中心として自重で紙幣挿入口２を覆うように閉じる。
【００１９】
一方、ステップＳ４にて、紙幣Ａが挿入され、紙幣Ａの挿入を紙幣検知センサ１０で検知すると（Ｓ４，Ｙｅｓ）、タイマをクリアし（Ｓ７）、紙幣Ａの識別処理動作を開始して（Ｓ８）、次のステップＳ９に進む。
【００２０】
このステップＳ９では、紙幣検知センサ１０がオフか否かを判断し、オフしていなければ（Ｓ９，Ｎｏ）、ステップＳ１０にて、１０秒経過したか否かを判断する。ここで、紙幣検知センサ１０がオフせずに１０秒経過すると（Ｓ１０，Ｙｅｓ）、紙幣Ａが挿入されたが、搬送ローラ３により紙幣Ａを取り込めない状態であり、ソレノイド8をオフして（Ｓ１１）、紙幣詰まり処理を行なう（Ｓ１２）。
【００２１】
一方、ステップＳ９にて、紙幣検知センサ１０がオフすると（Ｓ９，Ｙｅｓ）、紙幣Ａを紙幣識別機の本体ケース1内に取り込めた状態であり、ソレノイド８をオフして（Ｓ１３）、ソレノイド８がオフすることにより、フラッパ開閉具９が後方（図１では右側）に戻り、フラッパ６が支点６ａを中心として自重で紙幣挿入口２を覆うように閉じ、次のステップＳ１４に進む。
【００２２】
次に、ステップＳ１４では、紙幣Ａの識別処理動作が終了したか否かを判断し、終了していなければ（Ｓ１４，Ｎｏ）、ステップＳ１５にて、１０秒経過したか否かを判断する。ここで、紙幣の識別処理動作が終了する前に１０秒経過すると（Ｓ１５，Ｙｅｓ）、紙幣Aが挿入されたが、搬送ローラ３により紙幣Ａを取り込めない状態であり、紙幣詰まり処理を行なう（Ｓ１２）。
【００２３】
一方、ステップＳ１４にて、紙幣Ａの識別処理動作が終了すれば（Ｓ１４，Ｙｅｓ）、その識別により紙幣Ａが正常に識別されたか否かを判断し（Ｓ１６）、紙幣Aが正常に識別されなければ（Ｓ１６，Ｎｏ）、後述する図３のフローチャートによる紙幣の返却処理を行なうが（Ｓ１７）、紙幣Ａが正常であると識別されれば（Ｓ１６，Ｙｅｓ）、紙幣の一時保留を行ない（Ｓ１８）、一連の終了する。
【００２４】
なお、この状態において、紙幣の追加投入あるいはこの紙幣識別機が搭載されている機器の処理を待つものである。
【００２５】
次に、図３のフローチャートを用いて、紙幣の返却処理について説明する。
【００２６】
図３において、まず、紙幣返却動作として、搬送ローラ3を逆転させて、紙幣Ａを紙幣挿入口２側へ搬送し（Ｓ３１）、タイマをクリアして（Ｓ３２）、次のステップＳ３３に進む。ステヅプＳ３３では、ソレノイド８が駆動し、フラッパ開閉具９が前方（図１では左側）へ突き出て、フラッパ開閉具９がフラッパ６に当たり、紙幣挿入口２に紙幣Ａが挿入できる位置まで支点６ａを中心としてフラッパ６を上方に押し上げて回動させ、次のステップＳ３４に進む。
【００２７】
次に、ステップＳ３４にて、紙幣検知センサ１０がオンか否かを判断し、オンしていなければ（Ｓ３４，Ｎｏ）、ステップＳ３５にて、１０秒経過したか否かを判断する。ここで、紙幣検知センサ１０がオンせずに１０秒経過すると（Ｓ３５，Ｙｅｓ）、紙幣Ａが返却できないことになり、ソレノイド８をオフして（Ｓ３６）、ソレノイド８がオフすることにより、フラッパ開閉具９が後方（図１では右側）に戻り、フラッパ６が支点６ａを中心として自重で紙幣挿入口２を覆うように閉じ、紙幣詰まり処理を行なう（Ｓ３７）。
【００２８】
一方、ステップＳ３４にて、紙幣Ａの挿入を紙幣検知センサ１０で検知すると（Ｓ３４，Ｙｅｓ）、タイマをクリアし（Ｓ３８）、次のステップＳ３９に進む。
【００２９】
次に、ステップＳ３９にて、紙幣検知センサ１０がオフか否かを判断し、オフしていなければ（Ｓ３９，Ｎｏ）、ステップＳ４０にて、１０秒経過したか否かを判断する。ここで、紙幣検知センサ１０がオフせずに１０秒経過すると（Ｓ４０，Ｙｅｓ）、紙幣Ａが返却できない状態であり、ソレノイド８をオフして（Ｓ３６）、紙幣詰まり処理を行なう（Ｓ３７）。
【００３０】
一方、ステップＳ３９にて、紙幣検知センサ１０がオフすると（Ｓ３９，Ｙｅｓ）、紙幣Ａが紙幣挿入口２から抜き取られた状態であり、ソレノイド8をオフして（Ｓ４１）、フソレノイド８がオフすることにより、ラッパ開閉具９が後方（図１では右側）に戻り、フラッパ６が支点６ａを中心として自重で紙幣挿入口２を覆うように閉じ、返却処理を終了する。
【００３１】
なお、紙幣検知センサ１０がオフしないことによる紙幣詰まり処理に関しては、紙幣が手で抜き取れる位置であれば、ソレノイド８をオフする前に、手で抜き取ったことを別途検知した後、ソレノイド８をオフしてフラッパ６を閉じるようにしてもよく、また、先にソレノイド８をオフしてフラッパ６を閉じる場合には、手でフラッパを回動させて、紙幣を取り除くようにしてもよい。
【図面の簡単な説明】
【００３２】
【図１】本発明の実施形態を示す紙幣識別機の概略側面構成図である。
【図２】本発明の実施形態の動作を示すフローチャートである。
【図３】本発明の実施形態の動作を示すフローチャートである。
【符号の説明】
【００３３】
１    本体ケース
２    紙幣挿入口
６    フラッパ
７    フラッパスイッチ
８    ソレノイド
９    フラッパ開閉具
１０  紙幣検知センサ
１１    制御部
【図１】
2005092294.tif 000003
【図２】
2005092294.tif 000004
【図３】
2005092294.tif 000005